(57)【要約】【課題】従来は検出できなかった異常又は異常の兆候を検出することができる設備監視装置及び設備監視方法を提供する。【解決手段】本開示の設備監視装置は、管理ポイントにおいて更新された更新測定データを収集するデータ収集部と、管理ポイントにおける更新前の測定データの変化を記録した状態変化履歴、及び管理ポイントの健全性を判定するための正常運用パターン群を記憶する情報記憶部と、更新測定データが状態変化履歴と異なる場合には、状態変化履歴に更新測定データを追加して更新後の状態変化履歴を作成する状態変化記録部と、更新後の状態変化履歴と正常運用パターン群とを比較して、管理ポイントの健全性を判定する健全性判定部と、健全性判定部が更新後の状態変化履歴は正常運用パターン群と対応しないと判定した場合には、管理者に警報を通知する警報管理部と、を備えることを特徴とする。【選択図】図１
2020167552.tif 000002
【特許請求の範囲】
【請求項１】
管理ポイントにおいて更新された更新測定データを収集するデータ収集部と、
前記管理ポイントにおける更新前の測定データの変化を記録した状態変化履歴、及び前記管理ポイントの健全性を判定するための正常運用パターン群を記憶する情報記憶部と、
前記更新測定データが前記状態変化履歴と異なる場合には、前記状態変化履歴に前記更新測定データを追加して更新後の状態変化履歴を作成する状態変化記録部と、
前記更新後の状態変化履歴と前記正常運用パターン群とを比較して、前記管理ポイントの健全性を判定する健全性判定部と、
前記健全性判定部が前記更新後の状態変化履歴は前記正常運用パターン群と対応しないと判定した場合には、管理者に警報を通知する警報管理部と、を備える、設備監視装置。
【請求項２】
前記情報記憶部は、さらに、前記警報を記録した警報履歴を記憶する、請求項１に記載の設備監視装置。
【請求項３】
前記管理者が前記管理ポイントは正常状態と判断した場合には、前記正常運用パターン群の少なくとも一部を前記更新後の状態変化履歴の少なくとも一部と置き換えることで新規正常運用パターン群を作成するか、又は、前記正常運用パターン群に前記更新後の状態変化履歴の少なくとも一部を追加することで新規正常運用パターン群を作成する正常運用パターン作成部をさらに備える、請求項１又は２に記載の設備監視装置。
【請求項４】
前記正常運用パターン群に含まれる１つの管理ポイントの前記正常運用パターンは、１つ又は２つ以上の他の管理ポイントの更新前の測定データ又は前記１つの管理ポイントを有する設備の運用に関連するデータを含む、請求項１~３のいずれか１項に記載の設備監視装置。
【請求項５】
管理ポイントにおいて更新された更新測定データを収集するデータ収集ステップと、
前記更新測定データが、前記管理ポイントにおける更新前の測定データの変化を記録した状態変化履歴と異なる場合には、前記状態変化履歴に前記更新測定データを追加して更新後の状態変化履歴を作成する状態変化履歴作成ステップと、
前記更新後の状態変化履歴と、前記管理ポイントの健全性を判定するための正常運用パターン群とを比較して、前記管理ポイントの健全性を判定する健全性判定ステップと、
前記健全性判定ステップにおいて前記更新後の状態変化履歴は前記正常運用パターン群に対応しないと判定された場合には、管理者に警報を通知する警報通知ステップと、を含む、設備監視方法。
【請求項６】
前記管理者が、前記管理ポイントは正常状態と判断し、さらに前記更新後の状態変化履歴を正常運用パターンとして登録すべきと判断した場合には、前記正常運用パターン群の少なくとも一部を前記更新後の状態変化履歴の少なくとも一部と置き換えることで新規正常運用パターン群を作成するか、又は、前記正常運用パターン群に前記更新後の状態変化履歴の少なくとも一部を追加することで新規正常運用パターン群を作成する正常運用パターン作成ステップをさらに含む請求項５に記載の設備監視方法。
【発明の詳細な説明】
【技術分野】
【０００１】
本開示は、設備監視装置及び設備監視方法に関し、特に、設備から収集される多数の測定データに基づいて設備の健全性を判定する設備監視装置及び設備監視方法に関する。
【背景技術】
【０００２】
ビルやプラント等の施設においては、照明や空調等の様々な設備が設置されている。施設の管理者は、当該施設に設置されている設備に関する測定データを定期的に、あるいはその都度取得して監視を行うことで適切な運用を行っている。
【０００３】
従来、予め設定された正常範囲を逸脱した測定データを取得することで、管理者は設備の異常を検出している。特許文献１には、設備が正常運用を示す学習モデルと測定データとの差が所定の閾値を超えた場合に異常状態と判定する技術が開示されている。
【先行技術文献】
【特許文献】
【０００４】
【特許文献１】特開２０１８−１３９１４号公報
【発明の概要】
【発明が解決しようとする課題】
【０００５】
しかし、特許文献１に開示された技術では検出できない、異常又は異常の兆候がある。例えば、メータが故障した場合には、当該メータの測定データの絶対値は正常範囲であるが、比較的短周期で測定データの値が変化する場合がある。
【０００６】
そこで、本開示では、測定データの変化を把握することで、従来は検出できなかった異常又は異常の兆候を検出することができる設備監視装置及び設備監視方法を提供することを目的とする。
【課題を解決するための手段】
【０００７】
本開示の設備監視装置は、管理ポイントにおいて更新された更新測定データを収集するデータ収集部と、管理ポイントにおける更新前の測定データの変化を記録した状態変化履歴、及び管理ポイントの健全性を判定するための正常運用パターン群を記憶する情報記憶部と、更新測定データが状態変化履歴と異なる場合には、状態変化履歴に更新測定データを追加して更新後の状態変化履歴を作成する状態変化記録部と、更新後の状態変化履歴と正常運用パターン群とを比較して、管理ポイントの健全性を判定する健全性判定部と、健全性判定部が更新後の状態変化履歴は正常運用パターン群と対応しないと判定した場合には、管理者に警報を通知する警報管理部と、を備えることを特徴とする。
【０００８】
上記構成を備えた設備監視装置によれば、管理ポイントにおける測定データの変化と正常運用パターン群とを比較することで、管理ポイントの健全性を判定し、更新後の状態変化履歴が正常運用パターン群に対応しないことを管理者に通知することができる。正常運用パターン群は、測定データの絶対値だけでなく、測定データの変化率や変化頻度を含むので、測定データの絶対値のみを用いて管理ポイントの健全性を判断する方法では検出できなかった異常又は異常の兆候を検出することができる。
【０００９】
本開示の設備監視装置において、情報記憶部は、さらに警報を記録した警報履歴を記憶してもよい。これによれば、警報を通知された管理者が、当該設備に異常があるかを判断するために、警報履歴を使用することができる。
【００１０】
本開示の設備監視装置において、管理者が管理ポイントは正常状態と判断した場合には、正常運用パターン群の少なくとも一部を更新後の状態変化履歴の少なくとも一部と置き換えることで新規正常運用パターン群を作成するか、又は、正常運用パターン群に更新後の状態変化履歴の少なくとも一部を追加することで新規正常運用パターン群を作成する正常運用パターン作成部をさらに備えてもよい。これによれば、正常運用パターン群を更新することで施設毎にカスタマイズすることができるので、それぞれの施設に合った正常運用パターン群を作成することができる。
【００１１】
本開示の設備監視装置において、正常運用パターン群に含まれる１つの管理ポイントの正常運用パターンは、１つ又は２つ以上の他の管理ポイントの更新前の測定データ又は当該１つの管理ポイントを有する設備の運用に関連するデータを含んでもよい。これによれば、管理ポイントの測定データに影響を与え得る他の管理ポイントの測定データや設備の運用に関連するデータを含むことで、他のデータとの相関関係も検討した上で管理ポイントの健全性を判定することができる。
【００１２】
本開示の設備監視方法は、管理ポイントにおいて更新された更新測定データを収集するデータ収集ステップと、更新測定データが、管理ポイントにおける更新前の測定データの変化を記録した状態変化履歴と異なる場合には、状態変化履歴に更新測定データを追加して更新後の状態変化履歴を作成する状態変化履歴作成ステップと、更新後の状態変化履歴と、管理ポイントの健全性を判定するための正常運用パターン群とを比較して、管理ポイントの健全性を判定する健全性判定ステップと、健全性判定ステップにおいて更新後の状態変化履歴は正常運用パターン群に対応しないと判定された場合には、管理者に警報を通知する警報通知ステップと、を含むことを特徴とする。
【００１３】
上記構成を備えた設備監視方法によれば、管理ポイントにおける測定データが変化した際に、測定値の変化率や変化頻度を含む正常運用パターンとの対応を確認するので、測定値の絶対値のみで管理ポイントの健全性を判定する従来の方法では検出できなかった異常又は異常の兆候を検出することができる。
【００１４】
本開示の設備監視方法において、管理者が、管理ポイントは正常状態であると判断し、さらに更新後の状態変化履歴を正常運用パターンとして登録すべきと判断した場合には、正常運用パターン群の少なくとも一部を更新後の状態変化履歴の少なくとも一部と置き換えることで新規正常運用パターン群を作成するか、又は、正常運用パターン群に更新後の状態変化履歴の少なくとも一部を追加することで新規正常運用パターン群を作成する正常運用パターン作成ステップをさらに含んでもよい。これによれば、正常運用パターン群を施設毎にカスタマイズすることができるので、それぞれの設備に適応した正常運用パターン群を作成することができる。
【発明の効果】
【００１５】
本開示の設備監視装置及び設備監視方法によれば、従来は検出できなかった異常又は異常の兆候を検出することができる。
【図面の簡単な説明】
【００１６】
【図１】実施形態の一例における設備監視装置の全体構成と、施設に設置されている設備とを示した図である。
【図２】実施形態の一例における設備監視装置のハードウェア構成図である。
【図３】状態変化履歴の一例を示す図である。
【図４】正常運用パターン群の一例を示す図である。
【図５】他の管理ポイントの測定データを含む正常運用パターン群の他の一例を示す図４に対応する図である。
【図６】実施形態の一例において、データ収集部が更新測定データを収集した際の処理を示すフローチャートである。
【発明を実施するための形態】
【００１７】
以下、図面を参照しながら、本開示に係る設備監視装置の実施形態の一例について詳説する。図１は、実施形態の一例における設備監視装置１の全体構成と、施設２に設置されている設備３とを示した図である。設備監視装置１は、施設２に設置されている照明３ａ、空調３ｂ、電力メータ３ｃ、入退室管理ドア３ｄ等の設備３の管理ポイント４から更新測定データＮを収集して各管理ポイント４の健全性の判定を行う。
【００１８】
施設２は、例えば、ビルやプラント等である。施設２の規模も特に限定されず、大型のショッピングモールや、小型のビル等どのような形態のものでもよい。
【００１９】
設備３としては、図１に示された照明３ａ、空調３ｂ、電力メータ３ｃ、入退室管理ドア３ｄ以外に、施設２に設置されるエレベータ、エスカレータ等や、施設２の水道、ガスのメータ等が例示できる。
【００２０】
管理ポイント４は、設備３について監視すべき設定、状態、計測値等毎に設けることができる。ここで、設定とは設備３の動作を規定する条件であり、状態とは設備３の実際の様子であり、計測値とは設備３周辺の様子をセンサ等で計測した結果である。例えば、照明３ａの設定及び状態はＯＮ又はＯＦＦで表すことができて、空調温度の設定及び状態は例えば２０℃等と表すことができる。また、１つの設備３に１つ又は２つ以上の管理ポイント４を設けることができる。例えば、空調３ｂであれば、実測温度、設定温度、実測湿度等を管理ポイント４としてもよい。また、複数の設備３に１つの管理ポイント４を設けることもできる。例えば、複数の照明３ａを同期させている場合には、当該複数の照明３ａに対して１つの管理ポイント４を設けてもよい。
【００２１】
管理ポイント４で取得される更新測定データＮには、照明３ａの電源の設定や状態を示すＯＮ／ＯＦＦで示される離散値と、施設２への供給電圧６０００Ｖや空調３ｂの設定温度２０℃等で示される連続値とがある。管理ポイント４を適切に監視できる限りにおいては、更新測定データＮを収集するタイミングは特に限定されない。測定データの種類に応じて、測定データに変化があった際に管理ポイント４が自主的に更新測定データＮを送信するようにしたり、一定の期間毎に管理ポイント４が更新測定データＮを送信したりするようにしてもよい。定期的に更新測定データＮを収集する場合には、更新測定データＮを収集する時間間隔を、例えば、１秒、３０秒、１分、１０分、１時間等に設定することができる。
【００２２】
ネットワーク５は、データの送受信ができる通信網を広く含む。ネットワーク５は、有線又は無線のどちらでもよい。また、ネットワーク５は、イントラネット又はインターネットのどちらでもよいが、設備監視装置１が設置される場所が限定されないので、インターネットが好ましい。
【００２３】
管理者６は、設備監視装置１と連動することで管理ポイント４が正常状態であるか又は異常状態であるかを判断する。また、管理者６は、当該判断を設備監視装置１にフィードバックすることで後述する正常運用パターン群１１１を更新して作成する。管理者６は、人間ではなくコンピュータであってもよい。管理者６は、コンピュータであった場合には、ＡＩ（Ａｒｔｉｆｉｃｉａｌ  Ｉｎｔｅｌｌｉｇｅｎｃｅ）等の学習機能付きのコンピュータであることが好ましい。また、管理者６が人間の場合は、１人でもよいし、２人以上の集合体であってもよい。
【００２４】
設備監視装置１は、データ収集部１０と、情報記憶部１１とを備える。データ収集部１０は、管理ポイント４における更新測定データＮをネットワーク５経由で収集する。また、データ収集部１０は、管理ポイント４に測定データを取得させて当該測定データを更新測定データＮとして発信させる発信命令を送信できる機能を有してもよい。
【００２５】
情報記憶部１１は、状態変化履歴１１０と、正常運用パターン群１１１とを記憶する。状態変化履歴１１０は、管理ポイント４における更新前の測定データの変化を記録したデータである。正常運用パターン群１１１は、更新測定データＮの変化に対して管理ポイント４は健全であると判定すべき正常運用パターンの集合である。さらに、情報記憶部１１は、後述する管理者６に通知した警報を記録した警報履歴１１２を記憶してもよい。
【００２６】
さらに、設備監視装置１は、状態変化記録部１２と、健全性判定部１３と、警報管理部１４と、を備える。また、設備監視装置１は、管理者６からの要求に応じて新規正常運用パターン群１１１を作成する正常運用パターン作成部１５を備えてもよい。
【００２７】
状態変化記録部１２は、更新測定データＮが状態変化履歴１１０における最新の測定データと異なる場合には、状態変化履歴１１０に更新測定データＮを追加して更新後の状態変化履歴１１０を作成する。状態変化記録部１２とデータ収集部１０とは、分離していなくてもよく、両方の機能を果たす１つの部であってもよい。
【００２８】
健全性判定部１３は、更新後の状態変化履歴１１０と正常運用パターン群１１１とを比較して管理ポイント４の健全性を判定する。換言すれば、健全性判定部１３は、管理ポイント４における更新測定データＮの変化と正常運用パターンとを一定の判定ルールに基づいて比較することで、設備３の健全性を判定する。また、健全性判定部１３は、管理者６が判断した結果と健全性判定部１３がした判定とを比較して自ら学習する機能を有していてもよい。
【００２９】
警報管理部１４は、健全性判定部１３が更新後の状態変化履歴１１０は正常運用パターン群１１１と対応しないと判定した場合には、管理者６に警報を通知する。警報は、例えばメールであり、管理者６が携帯する携帯電話等の機器にネットワーク５を介して送信されることで、管理者６に早急に通知することができる。警報を受けた管理者６は、実際に管理ポイント４を有する設備３の状態を確認することで異常状態であるかを判断することができる。管理者６は、警報履歴１１２にアクセスすることによって過去の警報の有無やその内容を確認することできるので、警報履歴１１２を管理ポイント４の健全性を判断する際の参考データとして使用してもよい。
【００３０】
正常運用パターン作成部１５は、警報を通知された管理者６が正常状態であると判断した場合には、更新後の状態変化履歴１１０を正常運用パターン群１１１の少なくとも一部と置き換えることで新規正常運用パターン群１１１を作成するか、又は、更新後の状態変化履歴１１０の少なくとも一部を正常運用パターン群に追加することで新規正常運用パターン群１１１を作成する。同じ型式の設備３であっても、各設備３が置かれた環境は異なるので、各管理ポイント４の健全性の判定もカスタマイズできることが好ましい。設備監視装置１は、正常運用パターン作成部１５を備えることで各管理ポイント４に合わせて新規正常運用パターン群１１１を作成できるので、各管理ポイント４の健全性を適切に判定をすることができる。
【００３１】
図２は実施形態の一例における設備監視装置１を構成するコンピュータのハードウェア構成図である。設備監視装置１を構成するコンピュータは、汎用的なハードウェア構成により実現することができる。すなわち、コンピュータは、図２に示したように、ＣＰＵ２１、ＲＯＭ２２、ＲＡＭ２３、ハードディスクドライブ（以下、ＨＤＤという）２４を接続したＨＤＤコントローラ２５、入力手段として設けられたマウス２６とキーボード２７、及び表示装置として設けられたディスプレイ２８をそれぞれ接続する入出力コントローラ２９、通信手段として設けられたネットワークコントローラ３０とを内部バス３１に接続して構成される。
【００３２】
情報記憶部１１は、１つ以上のＨＤＤ２４により構成することができる。また、有事に備えて、バックアップ用のＨＤＤ２４をさらに有してもよい。データ収集部１０、状態変化記録部１２、健全性判定部１３、警報管理部１４、及び正常運用パターン作成部１５は、ＣＰＵ２１、ＲＯＭ２２及びＲＡＭ２３により構成することができる。管理者６は、マウス２６、キーボード２７、及びディスプレイ２８を用いるか又はネットワークコントローラ３０を経由することで、ＨＤＤ２４に保存された状態変化履歴１１０、正常運用パターン群１１１、又は警報履歴１１２にアクセスしてもよい。
【００３３】
次に、図３を参照しながら、情報記憶部１１に記憶されている状態変化履歴１１０について説明する。状態変化履歴１１０は、データ収集部１０が収集した管理ポイント４における更新前の測定データの変化の記録である。管理ポイント４として、照明Ａ設定、照明Ａ状態、供給電圧Ａ、消費電力Ａ、及び空調Ａ設定温度の５つを例示している。照明Ａ設定、照明Ａ状態、供給電圧Ａ、及び空調Ａ設定温度の４つの管理ポイント４は、測定データに変化があった際に自動的に発生時刻と更新測定データＮをデータ収集部１０に送信してもよい。消費電力Ａの管理ポイント４は、１時間毎に更新測定データＮをデータ収集部１０に送信してもよい。
【００３４】
図３においては、管理ポイント４毎に、発生時刻と当該発生時刻における測定データが上から下に測定時刻順に並べられている。各管理ポイント４の測定データの数は３個で例示しているが、当然に３個以外でもよいし、また管理ポイント４毎に測定データの数は異なっていてもよい。健全性判定部１３が管理ポイント４の健全性を判定するために、測定データの状態変化頻度すなわち１時間当たりの測定データの変化の回数を算出するので、１時間以上の変化を記録できるように管理ポイント４の測定データの数を設定することが好ましい。状態変化履歴１１０の各管理ポイント４の測定データは、一定期間後に自動的に消去されてもよいし、管理者６の裁量で適宜消去されてもよい。
【００３５】
次に、図４を参照しながら、情報記憶部１１に記憶されている正常運用パターン群１１１について説明する。正常運用パターン群１１１は、更新測定データＮの変化に対して管理ポイント４は健全であると判定すべき正常運用パターンの集合である。異常又は異常の兆候は無いと判定できる測定データの変化の正常運用パターンとして、照明Ａ設定・パターン１、照明Ａ設定・パターン２、照明Ａ状態・パターン１、供給電圧Ａ・パターン１、消費電力Ａ・パターン１、及び空調Ａ設定温度・パターン１の６つを例示している。照明Ａ設定については、照明Ａ設定・パターン１及び照明Ａ設定・パターン２の２つのパターンが正常運用パターンとして記憶されている。したがって、健全性判定部１３は、更新後の状態変化履歴１１０が照明Ａ設定・パターン１及び照明Ａ設定・パターン２のどちらか一方と対応するかを判定する。
【００３６】
図４においては、正常運用パターン毎に発生時刻と当該発生時刻における測定データが上から下に測定時刻順に並べられている。各正常運用パターンの測定データの数は３個で例示しているが、当然に３個以外でもよいし、また正常運用パターン毎に測定データの数は異なっていてもよい。健全性判定部１３は状態変化履歴１１０と正常運用パターン群１１１とを比較することで管理ポイント４の健全性を判定するので、正常運用パターン群１１１に含まれる各正常運用パターンの測定データは、状態変化履歴１１０と比較できる程度の量とすることができる。
【００３７】
正常運用パターンは、測定データに変化があった時刻の間隔を示すインターバルと、更新前の測定データの変化の様子を示す数値変動割合及び状態変化頻度と、測定時刻の時間帯を抽出した発生時間帯とをデータとして含む。
【００３８】
数値変動割合は、測定データの変動の大きさを計算した数値であり、測定データが供給電圧や消費電力、空調設定温度等の連続値の場合に算出される。例えば、供給電圧Ａ・パターン１の上から２列目と３列目の数値変動割合は、それぞれ１つ前の上から１列目と２列目の測定データとの差から１．７％、−１．６％と算出されている。
【００３９】
状態変化頻度は、１時間当たりの測定データの変化の回数を示しており、測定データが連続値、及び離散値のどちらの場合にも算出される。例えば、供給電圧Ａ・パターン１では、午前０時〜午前１時の１時間に測定データに３回の変動が生じている。
【００４０】
発生時間帯は、測定データに変化があった際の時間帯を１時間単位で示している。例えば、供給電圧Ａ・パターン１の測定データは、いずれも０時〜１時の１時間に収集されている。
【００４１】
図５に、他の管理ポイント４の測定データを含む正常運用パターン群１１１の一例を示す。正常運用パターンとして、照明Ａ設定・パターン１、照明Ａ設定・パターン２、照明Ａ状態・パターン１、供給電圧Ａ・パターン１、消費電力Ａ・パターン１、及び空調Ａ設定温度・パターン１の６つを例示している。
【００４２】
図５に示す正常運用パターン群１１１は、図４の正常運用パターン群１１１に、施設２の扉毎に付与された扉ＩＤと、管理ポイント４の更新測定データＮに変化があった際の扉の入退室の最新履歴とを追加している。換言すれば、正常運用パターン群１１１に含まれる１つの管理ポイント４の正常運用パターンは、他の１つ又は２つ以上の管理ポイント４の測定データ又は設備３の運用に関連するデータを含むことができる。照明Ａの近くにある扉Ａの入退室履歴を合わせて確認することで従来発見できなかった異常や異常の兆候を検出することができる場合がある。また、例えば、施設２の外の気温や湿度についての計測データ等の設備監視装置１以外の装置が取得したデータを正常運用パターン群１１１に含ませることもできる。
【００４３】
次に、設備監視方法について、図６を参照しながら詳説する。図６は、データ収集部１０が更新測定データＮを収集した際の処理を示すフローチャートである。
【００４４】
設備監視装置１は、管理ポイント４における更新測定データＮを収集すると（ステップＳ１０１）、次に、更新測定データＮは管理ポイント４における更新前の測定データの変化を記録した状態変化履歴１１０における最新の測定データと異なるかを判定する（ステップＳ１０２）。
【００４５】
更新測定データＮが状態変化履歴１１０と同じ場合には（ステップＳ１０２でＮＯ）、設備監視装置１は、処理を終了し、新たに更新測定データＮが収集されるまで待機する。一方、更新測定データＮが状態変化履歴１１０と異なる場合には（ステップＳ１０２でＹＥＳ）、設備監視装置１はステップＳ１０３に進む。
【００４６】
ステップＳ１０３では、設備監視装置１は、状態変化履歴１１０に更新測定データＮを追加して更新後の状態変化履歴１１０を作成する。その後、設備監視装置１は、更新後の状態変化履歴１１０が、正常運用パターンの集合である正常運用パターン群１１１に対応するかを判定する（ステップＳ１０４）。
【００４７】
更新測定データＮが離散値を採り、インターバル間隔、又は状態変化頻度が正常運用パターンに比べて一定割合以上逸脱した場合には、更新後の状態変化履歴１１０は正常運用パターン群１１１と対応しないと判定することができる。例えば、図４の正常運用パターン群１１１の一例において、照明Ａ状態・パターン１として、１７時〜１８時の１時間の状態変化頻度が２回／時である正常運用パターンが記録されている。したがって、１７時〜１８時の１時間の状態変化頻度が３回／時を超える場合には接点不良によるチャタリングが疑われるため、健全性判定部１３は、更新後の状態変化履歴１１０が正常運用パターン群１１１と対応しないと判定することができる。
【００４８】
また、更新測定データＮが連続値を採り、数値変動割合の絶対値、又は状態変化頻度が正常運用パターンに比べて一定割合以上逸脱した場合には、更新後の状態変化履歴１１０は正常運用パターン群１１１と対応しないと判定することができる。例えば、図４において、消費電力Ａ・パターン１として、９時〜１０時の１時間の消費電力Ａは、８時〜９時の１時間の消費電力Ａに比べて２４．４％増加する正常運用パターンが記録されている。消費電力Ａについて、±２４．４％程度の変動は正常数値範囲内であるがこの範囲を超える場合にはメータの故障が疑われるため、健全性判定部１３は、更新後の状態変化履歴１１０が正常運用パターン群１１１と対応しないと判定することができる。
【００４９】
更新後の状態変化履歴１１０が正常運用パターン群１１１に対応すると判定された場合には（ステップＳ１０４でＹＥＳ）、設備監視装置１は、処理を終了して新たに更新測定データＮが収集されるまで待機する。一方、更新後の状態変化履歴１１０が正常運用パターン群１１１に対応しないと判定された場合には（ステップＳ１０４でＮＯ、及びステップＳ１０５）、設備監視装置１は管理者６に警報を通知する（ステップＳ１０６）。
【００５０】
警報を通知された管理者６は、管理ポイント４の状況を確認する（ステップＳ１０７）。このとき、管理者６は、管理ポイント４を直接観察するだけでなく、情報記憶部１１に記憶されている状態変化履歴１１０、正常運用パターン群１１１、及び警報履歴１１２を確認してもよい。管理者６が管理ポイント４は異常状態であると判断した場合には（ステップＳ１０８でＹＥＳ）、管理者６は異常状態が解消できるように対応する、すなわち管理ポイント４を有する設備３を修理する（ステップＳ１１１）。
【００５１】
一方、管理者６が管理ポイント４は正常状態であると判断した場合には（ステップＳ１０８でＮＯ）、管理者６はさらに、正常状態と判断した当該状態変化履歴を正常運用パターンとして正常運用パターン群１１１に登録するかを決定する（ステップＳ１０９）。これにより、従来よりも正常状態と判断する範囲が広がった場合に新たな正常運用パターンを追加することで健全性判定部１３が健全と判定できる場合が増えるので、管理者６の負担を軽減することができる。また、管理者６は、正常状態と判断はしたが確信はない場合には、正常運用パターンとして登録するのを一旦見送ることもできる。正常運用パターンとして正常運用パターン群１１１に登録しない場合には（ステップＳ１０９でＮＯ）、設備監視装置１は、処理を終了し、新たに更新測定データＮが収集されるまで待機する。なお、ステップＳ１０７、ステップＳ１０８、ステップＳ１０９、及びステップＳ１１１は
管理者６が行う処理である。図６においては、管理者６が行う処理は破線で示され、施設監視装置１が行う他の処理とは区別されている。
【００５２】
正常運用パターンとして正常運用パターン群１１１に登録するとの指示を受け付けた場合には（ステップＳ１０９でＹＥＳ）、設備監視装置１は、正常運用パターン群１１１の少なくとも一部を更新後の状態変化履歴１１０の少なくとも一部と置き換えることで新規正常運用パターン群１１１を作成するか、又は、正常運用パターン群１１１に更新後の状態変化履歴１１０の少なくとも一部を追加することで新規正常運用パターン群１１１を作成する（ステップＳ１１０）。その後、設備監視装置１は、処理を終了し、新たに更新測定データＮが収集されるまで待機する。
【００５３】
なお、管理者６は、人間ではなくコンピュータであってもよい。
【００５４】
上述したように、本実施形態の設備監視装置１及び設備監視方法によれば、従来は検出できなかった異常又は異常の兆候を検出することができる。
【符号の説明】
【００５５】
１  設備監視装置、２  施設、３  設備、４  管理ポイント、５  ネットワーク、６  管理者、１０  データ収集部、１１  情報記憶部、１１０  状態変化履歴、１１１  正常運用パターン群、１１２  警報履歴、１２  状態変化記録部、１３  健全性判定部、１４  警報管理部、１５  正常運用パターン作成部、２１  ＣＰＵ、２２  ＲＯＭ、２３  ＲＡＭ、２４  ハードディスクドライブ（ＨＤＤ）、２５  ＨＤＤコントローラ、２６  マウス、２７  キーボード、２８  ディスプレイ、２９  入出力コントローラ、３０  ネットワークコントローラ、３１  内部バス、Ｎ  更新測定データ。
【図１】
2020167552.tif 000003
【図２】
2020167552.tif 000004
【図３】
2020167552.tif 000005
【図４】
2020167552.tif 000006
【図５】
2020167552.tif 000007
【図６】
2020167552.tif 000008